(57)【要約】【課題】木材ブロック１を、２枚重ねに接合して角柱状としたときに、木口面ｘに現れる四つのダボ穴１０が、他の木材ブロック１の板面ｚに所定のパターンの配列として設けられるダボ穴１０に整合して対応するようにする。【解決手段】木端面ｙ・ｙには、板面ｚ・ｚの一方を基準面とし、その基準面とした板面ｚから巾寸法ａの４分の１の距離ｃを隔てた仮想線ｗ５と、木口面ｘから前記距離ｃを隔てた仮想線ｗ６と、その仮想線ｗ６から巾寸法ａの２分の１の距離ｄを隔てた仮想線ｗ７との交点となる（ホ）・（ヘ）の点に、それぞれダボ穴１０を盲穴状に穿設し、木口面ｘには、基準面とした板面ｚから、巾寸法ａの４分の１の距離ｃを隔てた仮想線ｗ８と、木端面ｙから前記距離ｃを隔てた仮想線ｗ９と、その仮想線ｗ９から巾寸法の２分の１の距離ｄを隔てた仮想線ｗ１０との交点となる（ト）・（チ）の点に、それぞれダボ穴１０を盲穴状に穿設する。【選択図】        図１２
2005007746.tif 000002
【特許請求の範囲】
【請求項１】
巾寸法ａを８９ミリとし厚さ寸法ｂを３８ミリとした標準規格のツウ・バイ・フォー木材を素材として巾寸法ａの整数倍の長さに切断された木材ブロックに対し、それの板面ｚ・木端面ｙ・木口面ｘのそれぞれに、板面ｚ・ｚには、それの長手方向の両端部位に、木口面ｘから、８９ミリの巾寸法ａの４分の１となる２２．２５ミリの距離ｃを隔てて木口面ｘと平行する仮想線ｗ１と、その仮想線ｗ１からさらに８９ミリの巾寸法ａの２分の１となる４４．５０ミリの距離ｄを隔てて木口面ｘと平行する仮想線ｗ２と、木端面ｙ・ｙから、それぞれ８９ミリの巾寸法ａの４分の１となる２２．２５ミリの距離ｃを隔てて木端面ｙと平行する仮想線ｗ３・ｗ４との交点となる（イ）・（ロ）・（ハ）・（ニ）の４つの点に、それぞれダボ穴１０を盲穴状に穿設し、木端面ｙ・ｙには、表裏の板面ｚ・ｚの一方を基準面とし、その基準面とした板面ｚから８９ミリの巾寸法ａの４分の１となる２２．２５ミリの距離ｃを隔てて板面ｚと平行する仮想線ｗ５と、木口面ｘから８９ミリの巾寸法ａの４分の１となる２２．２５ミリの距離ｃを隔てて木口面ｘと平行する仮想線ｗ６と、その仮想線ｗ６から８９ミリの巾寸法ａの２分の１となる４４．５０ミリの距離ｄを隔てて木口面ｘと平行する仮想線ｗ７との交点となる（ホ）・（ヘ）の点に、それぞれダボ穴１０を盲穴状に穿設し、木口面ｘには、前記基準面とした板面ｚから、８９ミリの巾寸法ａの４分の１となる２２．２５ミリの距離ｃを隔てて板面ｚと平行する仮想線ｗ８と、木端面ｙから８９ミリの巾寸法ａの４分の１となる２２．２５ミリの距離ｃを隔てて木端面ｙと平行する仮想線ｗ９と、その仮想線ｗ９から８９ミリの巾寸法の２分の１となる４４．５０ミリの距離ｄを隔てて木端面ｙと平行する仮想線ｗ１０との交点となる（ト）・（チ）の点に、それぞれダボ穴１０を盲穴状に穿設して木材ブロック１を構成することを特徴とする工作用木材ブロック。
【請求項２】
木材ブロック１の長手方向の中間部位に、それの板面ｚには、仮想線ｗ３・ｗ４上で、木口面ｘから巾寸法ａの整数倍となる所望位置に、両端部位の（イ）・（ロ）・（ハ）・（ニ）の交点に設けた４つのダボ穴１０の配列パターンに倣う配列でダボ穴１０を穿設し、木端面ｙには、仮想線ｗ５上で木口面ｘから巾寸法ａの整数倍となる所望位置に、両端部位の（ホ）・（ヘ）の交点に設けた２つのダボ穴１０の配列パターンに倣う配列でダボ穴１０を穿設したことを特徴とする請求項１記載の工作用木材ブロック。
【請求項３】
巾寸法ａを厚さ寸法ｂの３８ミリと同寸法の３８ミリとしたツウ・バイ・ツウ木材を素材とする木材ブロック３の板面ｚおよび木端面ｙとに、相隣る基準面をそれぞれ設定して、それの板面ｚには、基準面とした一方の木端面ｙから距離ｃの２２．２５ミリ隔てた位置で木端面ｙと平行する仮想線ｗ１１と、木口面ｘから距離ｃの２２．２５ミリ隔てた位置で木口面ｘと平行する仮想線ｗ１２と、その仮想線ｗ１２から距離ｄの４４．５０ミリ隔てて木口面ｘと平行する仮想線ｗ１３との交点となる（ヌ）・（ル）の点にダボ穴１０を盲穴状に穿設し、木端面ｙには、基準面とした板面ｚから距離ｃの２２．２５ミリ隔てた位置で板面ｚと平行する仮想線ｗ１４と、木口面ｘから距離ｃの２２．２５ミリ隔てた位置で木口面ｘと平行する仮想線ｗ１５と、その仮想線ｗ１５からさらに距離ｄの４４．５０ミリ隔てた位置で木口面ｘと平行する仮想線ｗ１６との交点（オ）・（ワ）となる位置にダボ穴１０を盲穴状に穿設し、木口面ｘには、基準面とした板面ｚから距離ｃの２２．２５ミリ隔てた位置で板面ｚと平行する仮想線ｗ１７と、基準面とした木端面から距離ｃの２２．２５ミリ隔てた位置で木端面と平行する仮想線ｗ１８の交点となる（カ）点にダボ穴１０を盲穴状に穿設して木材ブロック３を構成し、このブロック３を、木材ブロック１により組立てられる工作物に適宜に付加せしめることを特徴とする請求項１記載の工作用木材ブロック。
【発明の詳細な説明】
【０００１】
【発明が属する技術分野】
本発明は、巾寸法を厚さ寸法の略２倍として所定の単位長さに切断されたいわゆるツウ・バイ・フォー材と呼ばれる木材ブロックに、それの板面および木端面および木口面に、ダボを打ち込むダボ穴を穿設しておいて、この木材ブロックを適宜数組み合わせ、ダボ穴に打ち込むダボにより連結して、所望の構造物に組み立てるようにする工作用木材ブロックについての改良に関する。
【０００２】
【従来の技術】
上述の工作用木材ブロックには、出願人が開発して実願２００２−４０３１号として出願し、実用新案登録第３０９１８８０号として登録されている手段がある。
【０００３】
これは、図１乃至図４にあるように、板面ｚの巾寸法ａが、木口面ｘおよび木端面ｙの高さ寸法となる厚さ寸法ｂの略２倍で、その巾寸法ａの整数倍の長さＬに切断した木材ブロック１を、それの長さＬを異にする複数の種類のものとして用意し、それら木材ブロック１には、図２にあるように、板面ｚの木口面ｘに寄せた両端部位に、その木口面ｘから巾寸法ａの４分の１の寸法となる距離ｃを隔てて木口面ｘと平行する仮想線ｗ１と、その仮想線ｗ１から巾寸法ａの２分の１の距離ｄを隔てて木口面ｘと平行する仮想線ｗ２と、木端面ｙ・ｙからそれぞれ巾寸法ａの４分の１の距離ｃを隔てて木端面ｙと平行する仮想線ｗ３・ｗ４とを設定して、それらの交点となる（イ）・（ロ）・（ハ）・（ニ）の４つの点に、他方の板面ｚに向け貫通するダボ穴１０を、通常使用するダボ２の直径８ミリより少し小径の穴径として穿設し、これにより、板面ｚの長手方向の両端部に、巾寸法ａの２分の１の距離ｄをおいて互いに相隣なる四つのダボ穴１０…が、一辺を巾寸法ａの２分の１の長さとした正方形の四隅に位置とする配列パターンとなるように装設する。
【０００４】
そして、この木材ブロック１の木端面ｙには、図３にあるように、それの厚さ寸法ｂを２分する仮想中心線ｗを設定して、その仮想中心線ｗ上において、木口面ｘから巾寸法ａの４分の１となる距離ｃで内側に入る位置を占める点（ホ）と、この点（ホ）から巾寸法ａの２分の１となる距離ｄで内側に入り、前述の中心線ｗ上を占める点（ヘ）を設定して、この点（ホ）・（ヘ）にそれぞれ対向する木端面ｙに向けて掘り込まれるダボ穴１０・１０を、巾寸法ａの４分の１より幾分短い深さ寸法の盲穴状に開設する。
【０００５】
また、木材ブロック１の木口面ｘには、図４にあるように、それの厚さ寸法ｂを２分する仮想中心線ｗを設定して、その線ｗ上で、それぞれの木端面ｙ・ｙから巾寸法ａの４分の１の距離ｄを隔てた２つの点（ト）・（チ）を設定して、この点（ト）・（チ）に、前述の木端面ｙに穿設したダボ穴１０…と同様の深さ寸法の盲穴状のダボ穴１０を穿設する。
【０００６】
そして、このように構成した木材ブロック１を用い、それらの所望の木材ブロック１同志を、それらに設けたダボ穴１０にダボ２を打ち込んで、そのダボ２とダボ穴１０の嵌合により連結して、家具などの所望の工作物に組み立てるようにしているものである。
【０００７】
【発明が解決しようとする課題】
上述の工作用木材ブロックは、複数本の木材ブロック１を並列させてダボ２とダボ穴１０との嵌め合わせにより図５にあるように巾広の台盤（い）に組み立て、これの下面側の四隅に、長さ寸法の短い木材ブロック１を、立てた姿勢としてそれの上端側の木口面ｘを突き合わせ、ダボ２とダボ穴１０との嵌め合いで連結することで、図６にあるようにベンチ（ろ）に組み立てられるなど、所望の工作物に組み立てられるが、木材ブロック１を、巾寸法ａが８９ミリで厚さ寸法ｂが３８ミリとなっている標準の規格寸法のツウ・バイ・フォー材を素材として成形したときには、種々の不都合がでてくる。
【０００８】
前述の図５・図６に示したベンチ（ろ）の例についていえば、台盤（い）の四隅の下面側に脚柱として組み付ける木材ブロック１を、強度の保持のために図７にあるように、２枚重ねに接合した状態で組み付けようとすると、その２枚重ねにした木材ブロック１・１の木口面ｘに現れる四つのダボ穴１０…と台盤（い）側の木材ブロック１の板面ｚに穿設してある四つのダボ穴１０とが一致せず、ダボ２…による結合ができないようになる。
【０００９】
このとき、脚柱とする木材ブロック１を２枚重ねとせずに、ばらばらの状態として、それらの各木口面ｘに現れるダボ穴１０を、台盤（い）側の木材ブロック１の板面ｚのダボ穴１０に適合させて連結すると、図８にあるように、２枚に並列させた木材ブロック１・１が、それらの間にすき間を形成して個々に台盤（い）側に連結する状態となって、脚柱としての補強が不充分になる。
【００１０】
また、脚柱として台盤（い）に組み付けた一対の木材ブロック１と木材ブロック１との間に、図９にあるように補強棧として木材ブロック１を組み付けるときに、それの木口面ｘのダボ穴１０を、脚柱として組み付けた木材ブロック１の板面ｚに穿設したダボ穴１０に適合させると、この補強棧とする木材ブロック１の板面ｚと台盤（い）の下面との間にすき間が生じて、補強棧とする木材ブロック１を台盤（い）側の木材ブロック１…に対して密着状態に連結することができないようになる。
【００１１】
このとき、補強棧とする木材ブロック１を、台盤（い）側の木材ブロック１…に対し、先に接合してダボ２とダボ穴１０の嵌合により連結すると、木口面ｘのダボ穴１０の位置が、脚柱として組み付けてある木材ブロック１の板面ｚのダボ穴１０に対しずれて位置することで、脚柱側の木材ブロック１とのダボ２とダボ穴１０による連結ができないようになり、脚柱の補強として機能しないようになる。
【００１２】
また、木材ブロック１を、前述の台盤（い）とそれの脚柱との連結のように、直角に折れ曲がる状態、または、図１０にあるように木端面ｙと板面ｚとを接合させた場合に、それら組み付けた木材ブロック１…の外面側に段差Ｈが生じてくることで、さらに、その外面側に木材ブロック１を重合させて連結することがむづかしくなり、木材ブロック１を順次組み合わせていくのが、そこで途切れるようになる。
【００１３】
本発明は、規格寸法のツウ・バイ・フォー材を用いる従前の工作用木材ブロックに生じている問題を解消せしめるためになされたものであって、木材ブロック１を、２枚重ねに接合して角柱状としたときに、木口面ｘに現れる四つのダボ穴１０が、他の木材ブロック１の板面ｚに所定のパターンの配列として設けられるダボ穴１０に整合して対応するようになり、また、補強棧として用いる場合に、それの板面ｚに穿設したダボ穴１０と木口面ｘに穿設したダボ穴１０とが、すでに組み立てられている工作物の木材ブロック１に所定のパターンで設けられているダボ穴１０…に整合していくようになり、しかも、ダボ２とダボ穴１０との嵌め合いで連結していく木材ブロック１の連結部位における外面側に段差を生ぜしめずに、その外面側を一つの面に揃う状態として組み付けられて、さらなる密接状態の連結を可能とするようにすることを目的とするものである。
【００１４】
【課題を解決するための手段】
しかして、本発明手段は、上述の標準規格のツウ・バイ・フォー材を素材として成形されている工作用木材ブロックについて種々の検討を加えて得られた知見に基づいてなされたものである。
【００１５】
即ち、上述の従前の工作用木材ブロックに生じている問題は、規格のツウ・バイ・フォー材から成形する木材ブロック１が、巾寸法ａを８９ミリとし厚さ寸法ｂを３８ミリとしていることで、巾寸法ａに対して厚さ寸法ｂが、正しく２分の１となる関係にはなく、厚さ寸法ｂが巾寸法ａの２分の１より少し小さくなっていることによるものであり、木材ブロック１の木口面ｘおよび木端面ｙに穿設するダボ穴１０を、そのダボ穴１０の板面ｚまでの距離ｄが、木材ブロック１の板面ｚの端部に穿設したダボ穴１０から木口面ｘまでの距離ｄおよび木端面ｙまでの距離ｄと一致するようになっていれば問題を解消でき、そのようにするには、図１１にあるように、木材ブロック１の木口面ｘおよび木端面ｙに、木材ブロック１の表裏の板面ｚ・ｚの一方を基準面としてその基準面とした板面ｚから巾寸法ａの４分の１の距離ｃをおいた位置に仮想線を設定して、その仮想線上において、木端面ｙから巾寸法ａの４分の１の距離ｃをおいた位置および木口面ｘから巾寸法ａの４分の１の距離ｃをおいた位置を設定し、その位置にダボ穴１０を穿設するようにすれば、木材ブロック１の表裏の板面ｚ・ｚのうちの基準面とした一方の板面ｚの側においてだけではあるが、図１２および図１３にあるように、木材ブロック１を組み合わせたときに、木材ブロック１に形設してあるダボ穴１０の配列パターンの整一が得られるようになること、そしてこのようにダボ穴１０を穿設した木材ブロック１は、組み合わせるときに、表裏の板面ｚを選択することで、外端面側を揃えた状態としてダボ穴１０の位置を整合させ得る、ということに想到したことによるものである。
【００１６】
そして、このことから、上述の目的を達成するための手段として、請求項１に記載したように、巾寸法ａを８９ミリとし厚さ寸法ｂを３８ミリとした標準規格のツウ・バイ・フォー木材を素材として巾寸法ａの整数倍の長さに切断された木材ブロックに対し、それの板面ｚ・木端面ｙ・木口面ｘのそれぞれに、板面ｚ・ｚには、それの長手方向の両端部位に、木口面ｘから、８９ミリの巾寸法ａの４分の１となる２２．２５ミリの距離ｃを隔てて木口面ｘと平行する仮想線ｗ１と、その仮想線ｗ１からさらに８９ミリの巾寸法ａの２分の１となる４４．５０ミリの距離ｄを隔てて木口面ｘと平行する仮想線ｗ２と、木端面ｙ・ｙから、それぞれ８９ミリの巾寸法ａの４分の１となる２２．２５ミリの距離ｃを隔てて木端面ｙと平行する仮想線ｗ３・ｗ４との交点となる（イ）・（ロ）・（ハ）・（ニ）の４つの点に、それぞれダボ穴１０を盲穴状に穿設し、木端面ｙ・ｙには、表裏の板面ｚ・ｚの一方を基準面とし、その基準面とした板面ｚから８９ミリの巾寸法ａの４分の１となる２２．２５ミリの距離ｃを隔てて板面ｚと平行する仮想線ｗ５と、木口面ｘから８９ミリの巾寸法ａの４分の１となる２２．２５ミリの距離ｃを隔てて木口面ｘと平行する仮想線ｗ６と、その仮想線ｗ６から８９ミリの巾寸法ａの２分の１となる４４．５０ミリの距離ｄを隔てて木口面ｘと平行する仮想線ｗ７との交点となる（ホ）・（ヘ）の点に、それぞれダボ穴１０を盲穴状に穿設し、木口面ｘには、前記基準面とした板面ｚから、８９ミリの巾寸法ａの４分の１となる２２．２５ミリの距離ｃを隔てて板面ｚと平行する仮想線ｗ８と、木端面ｙから８９ミリの巾寸法ａの４分の１となる２２．２５ミリの距離ｃを隔てて木端面ｙと平行する仮想線ｗ９と、その仮想線ｗ９から８９ミリの巾寸法の２分の１となる４４．５０ミリの距離ｄを隔てて木端面ｙと平行する仮想線ｗ１０との交点となる（ト）・（チ）の点に、それぞれダボ穴１０を盲穴状に穿設して木材ブロック１を構成することを特徴とする工作用木材ブロックを提起するものである。
【００１７】
【発明の実施の形態】
次に本発明の実施の態様を図面に随い実施例について説明する。
図１４は、板面ｚの巾寸法ａが８９ミリで、木端面ｙおよび木口面ｘの厚さ寸法ｂが３８ミリとなる標準規格のツウ・バイ・フォー材を素材に用い、それを巾寸法ａの整数倍の所定長さに切断し、板面ｚ・木端面ｙ・木口面ｘのそれぞれに、ダボ２を嵌挿するダボ穴１０…を穿設することで、成形した木材ブロック１を示している。
【００１８】
木材ブロック１は、図示する例のものにあっては、長さＬを、巾寸法ａの８９ミリの整数倍である３倍の２６７ミリとなっているが、図１５にあるように、長さを巾寸法ａの４倍・５倍…とした長さの異なる多種類のものとして用意される。
【００１９】
木材ブロック１の板面ｚ・木端面ｙ・木口面ｘに穿設するダボ穴１０…は、板面ｚ・ｚにあっては、図１６にあるように、それの長手方向の両端部位に、木口面ｘから、８９ミリの巾寸法ａの４分の１となる２２．２５ミリの距離ｃを隔てて木口面ｘと平行する仮想線ｗ１と、その仮想線ｗ１からさらに８９ミリの巾寸法ａの２分の１となる４４．５０ミリの距離ｄを隔てて木口面ｘと平行する仮想線ｗ２と、木端面ｙ・ｙから、それぞれ８９ミリの巾寸法ａの４分の１となる２２．２５ミリの距離ｃを隔てて木端面ｙと平行する仮想線ｗ３・ｗ４とを設定して、それらの交点となる（イ）・（ロ）・（ハ）・（ニ）の４つの点を求め、それらの点にそれぞぞれダボ穴１０を盲穴状に穿設する。
【００２０】
このとき、各ダボ穴１０は仮想線ｗ１・ｗ２と仮想線ｗ３・ｗ４の交点となる（イ）・（ロ）・（ハ）・（ニ）の位置を占めるように穿設してあればよく仮想線ｗ１・ｗ２・ｗ３・ｗ４は画く必要はない。
【００２１】
これにより板面ｚの両端部には（イ）・（ロ）・（ハ）・（ニ）の４個所に穿設されるダボ穴１０が、それぞれ巾寸法ａの２分の１の距離ｄの４４、５０ミリを隔てて相隣なり、かつ、前記距離ｄの４４、５０ミリを一辺とする正方形の四隅に位置する配列パターンとして穿設される。
【００２２】
木材ブロック１の長さＬが長いものにあっては、図１５に示しているように、板面ｚの中間の、所定の比例倍数位置に、この配列パターンに倣いダボ穴１０が穿設される。
【００２３】
これらダボ穴１０は、それの深さを、使用するダボ穴１０の長さ約３０ミリの２分の１より少し短い１５ミリ弱の深さの盲穴として形設してあり、これにより、木材ブロック１の表裏の各板面ｚに、前述した如く位置を設定して板面ｚに設けるこのダボ穴１０が、対向する板面ｚ側に設けるダボ穴１０に対して接続することのない盲穴として穿設してある。
【００２４】
また、木端面ｙ・ｙには、図１７にあるように、表裏の板面ｚ・ｚの一方を基準面とし、その基準面とした板面ｚから８９ミリの巾寸法ａの４分の１となる２２．２５ミリの距離ｃを隔てて板面ｚと平行する仮想線ｗ５と、木口面ｘから８９ミリの巾寸法ａの４分の１となる２２．２５ミリの距離ｃを隔てて木口面ｘと平行する仮想線ｗ６と、その仮想線ｗ６から８９ミリの巾寸法ａの２分の１となる４４．５０ミリの距離ｄを隔てて木口面ｘと平行する仮想線ｗ７とを設定して、それらの交点となる（ホ）・（ヘ）の点に、それぞれダボ穴１０を盲穴状に穿設する。この場合も、ダボ穴１０が、仮想線ｗ５と仮想線ｗ６と仮想線ｗ７との交点となる（ホ）・（ヘ）の位置を占めるように穿設してあればよく、仮想線を実線に画く必要はない。
【００２５】
この木端面ｙに穿設せるダボ穴１０は、基準面とした板面ｚに対しては、８９ミリの巾寸法ａの４分の１の距離ｃの２２．２５ミリをおいた位置を占めるが、基準面とした板面ｚと反対側の板面ｚまでの距離ｅは、巾寸法ａの４分の１の距離ｃの２２．２５ミリより短い距離ｅの１５．７５ミリとなる。
【００２６】
また、木口面ｘには、図１８にあるように、前記基準面とした板面ｚから、８９ミリの巾寸法ａの４分の１となる２２．２５ミリの距離ｃを隔てて板面ｚと平行する仮想線ｗ８と、木端面ｙから８９ミリの巾寸法ａの４分の１となる２２．２５ミリの距離ｃを隔てて木端面ｙと平行する仮想線ｗ９と、その仮想線ｗ９から８９ミリの巾寸法ａの２分の１となる４４．５０ミリの距離ｄを隔てて木端面ｙと平行する仮想線ｗ１０とを設定して、それらの交点となる（ト）・（チ）の点に、それぞれダボ穴１０を盲穴状に穿設する。この場合も、前述の板面ｚおよび木端面ｙにダボ穴１０を設けるときの位置決めと同様で、穿設するダボ穴１０が、仮想線ｗ８と仮想線ｗ９と仮想線ｗ１０との交点となる点（ト）点・（チ）点を占めるように穿設してあればよく、仮想線を実線に画く必要はない。
【００２７】
このように木口面ｘに形成されるこのダボ穴１０も、基準面とした上面側の板面ｚと反対側の下面側の板面ｚまでの距離ｅは、８９ミリの巾寸法ａの４分の１の距離ｃの２２．２５ミリより小さい１５．７５ミリとなっている。
【００２８】
このように構成してある木材ブロック１は、それを２枚重ねに並列させて組み合わせ、一本の角柱状に組み立てるとき、基準面とした側の板面ｚと板面ｚを突き合わせて接合し、ダボ２とダボ穴１０との嵌め合いで一本の角柱状に組み立てたとき、それの木口面ｘ・ｘに現れるダボ穴１０の配列パターンが、図１２にあるようになって、木材ブロック１の板面ｚに形設したダボ穴１０の配列パターンに一致して整合するようになる。
【００２９】
また、図９にあるように補強棧として用いるときに、基準面とした例の板面ｚを、台盤（い）の下面側に接合して、ダボ２とダボ穴１０の嵌合により一体的に連結することで、それの木口面ｘに現れるダボ穴１０の位置が、台盤（い）の四隅の下面に脚柱として組み付けた木材ブロック１の板面ｚまたは木端面ｙに設けてあるダボ穴１０の位置と整合することで、脚柱に対してもダボ２とダボ穴１０の嵌め合いで連結し得るようになる。
【００３０】
また、木材ブロック１を組み合わせて連結していくとき、図１３にあるように、基準面とした例が外面側に現れるよう接合していくことで、外面側を段差のない一つの面に揃えた状態とし得るので、さらに、木材ブロック１を密着状態として組み合わせていけるようになる。
【００３１】
次に  図１９乃至図２１は、この工作用の木材ブロックに、バリエーションとして加えるツウ・バイ・ツウの寸法の木材ブロック３を示している。
【００３２】
この変形型の木材ブロック３は、巾寸法ａ’を厚さ寸法ｂの３８ミリと同寸法の３８ミリとした角柱状に形成してある例である。
【００３３】
この木材ブロック３にあっては、それの板面ｚおよび木端面ｙとに、相隣る基準面をそれぞれ設定して、それの板面ｚには、図１９にあるように、基準面とした一方の木端面ｙから距離ｃの２２．２５ミリ隔てた位置で木端面ｙと平行する仮想線ｗ１１と、木口面ｘから距離ｃの２２．２５ミリ隔てた位置で木口面ｘと平行する仮想線ｗ１２と、その仮想線ｗ１２から距離ｄの４４．５０ミリ隔てて木口面ｘと平行する仮想線ｗ１３との交点となる（ヌ）・（ル）の点にダボ穴１０を盲穴状に穿設し、木端面ｙには、基準面とした板面ｚから距離ｃの２２．２５ミリ隔てた位置で板面ｚと平行する仮想線ｗ１４と、木口面ｘから距離ｃの２２．２５ミリ隔てた位置で木口面ｘと平行する仮想線ｗ１５と、その仮想線ｗ１５からさらに距離ｄの４４．５０ミリ隔てた位置で木口面ｘと平行する仮想線ｗ１６との交点（オ）・（ワ）となる位置ににダボ穴１０を盲穴状に穿設し、木口面ｘには、基準面とした板面ｚから距離ｃの２２．２５ミリ隔てた位置で板面ｚと平行する仮想線ｗ１７と、基準面とした木端面から距離ｃの２２．２５ミリ隔てた位置で木端面と平行する仮想線ｗ１８との交点（カ）となる位置にダボ穴１０を盲穴状に穿設して木材ブロック３を構成するようにしている。
【００３４】
この変形の木材ブロック３は、基準面とした木端面ｙ・板面ｚを選択して、木材ブロック１により組み立てられる工作物に接していくことで、ダボ穴１０を整合させて密着した状態として工作物に連結・付加されるようになる。
【００３５】
【発明の効果】
以上説明したように、本発明手段による規格寸法のツウ・バイ・フォー材を素材とした工作用木材ブロック１は、木材ブロック１を、２枚重ねに接合して角柱状としたときに、木口面ｘに現れる四つのダボ穴１０が、他の木材ブロック１の板面ｚに所定のパターンの配列として設けられるダボ穴１０に整合して対応するようになり、また、補強棧として用いる場合に、それの板面ｚに穿設したダボ穴１０と木口面ｘに穿設したダボ穴１０とが、すでに組み立てられている工作物の木材ブロック１に所定のパターンで設けられているダボ穴１０…に整合していくようになり、しかも、ダボ２とダボ穴１０との嵌め合いで連結していく木材ブロック１の連結部位における外面側に段差を生ぜしめずに、その外面側を一つの面に揃う状態として組み付けられて、さらなる密接状態の連結を可能とする。
【図面の簡単な説明】
【図１】従前の工作用木材ブロックの斜視図である。
【図２】同上の木材ブロックの平面図である。
【図３】同上の木材ブロックの正面図である。
【図４】同上の木材ブロックの側面図である。
【図５】同上の木材ブロックを並列させて連結・組み合わせて組み立てる台盤の斜視図である。
【図６】同上の木材ブロックで組み立てた台盤の下面側の四隅にブロックを脚柱として組み付けて組み立てるベンチの斜視図である。
【図７】同上の木材ブロックを２枚重ねに接合して組み立てたブロック材の木口面を、他の木材ブロックの板面に組み付ける状態の斜視図である。
【図８】木材ブロックの連結により組み立てた台盤の下面側に、脚柱として木材ブロックを個々に組み付けるときの説明図である。
【図９】木材ブロックにより組み立てたベンチに、木材ブロックを補強棧として組み付けるときの説明図である。
【図１０】木材ブロックを板面と木口面とを連結して組み立てるときに、外面側に生ずる段差の説明図である。
【図１１】本発明手段による木材ブロックを構成する説明図である。
【図１２】本発明による木材ブロックを、基準面同志の接合で２枚重ねに連結した状態時の木口面の平面図である。
【図１３】本発明手段による木材ブロックの木口面を、他の木材ブロックの板面に接合するときの説明図である。
【図１４】本発明手段による木材ブロックの斜視図である。
【図１５】本発明手段による木材ブロックの長さを異にする各種のバリエーションの平面図である。
【図１６】本発明手段による木材ブロックの平面図である。
【図１７】同上の正面図である。
【図１８】同上の側面図である。
【図１９】本発明手段に組み合わせて用いる異種の木材ブロックの平面図である。
【図２０】同上の正面図である。
【図２１】同上の側面図である。
【符号の説明】
ａ・ａ’…巾寸法、ｂ…厚さ寸法、ｃ・ｄ・ｅ…距離、Ｌ…長さ、ｘ…木口面、ｙ…木端面、ｚ…板面、ｗ…仮想中心線、い…台盤、ろ…ベンチ、１…木材ブロック、１０…ダボ穴、２…ダボ、３…木材ブロック。
【図１】
2005007746.tif 000003
【図２】
2005007746.tif 000004
【図３】
2005007746.tif 000005
【図４】
2005007746.tif 000006
【図５】
2005007746.tif 000007
【図６】
2005007746.tif 000008
【図７】
2005007746.tif 000009
【図８】
2005007746.tif 000010
【図９】
2005007746.tif 000011
【図１０】
2005007746.tif 000012
【図１１】
2005007746.tif 000013
【図１２】
2005007746.tif 000014
【図１３】
2005007746.tif 000015
【図１４】
2005007746.tif 000016
【図１５】
2005007746.tif 000017
【図１６】
2005007746.tif 000018
【図１７】
2005007746.tif 000019
【図１８】
2005007746.tif 000020
【図１９】
2005007746.tif 000021
【図２０】
2005007746.tif 000022
【図２１】
2005007746.tif 000023